(57)【特許請求の範囲】
【請求項１】
複数の穴が貫通して設けられかつ上向きに給水管が突出、開口した底部と、略円筒状側壁と略中空膨出状天井部とを一体形成してなる蓋体と、を組み合わせてなるとともに、前記天井部から前記側壁に沿う内部側を下降方向に連通しかつ前記側壁において外部に向かって水平より下向きに開口する脱気路を形成してなる散水箱を設けたことを特徴とする冷却塔。
【請求項２】
脱気路が前記蓋体に一体形成され断面が略半円筒状の隆起部と前記隆起部の基部の内面近傍に当接した仕切材とによって形成されたものであることを特徴とする前記請求項１記載の冷却塔。
【請求項３】
脱気路が管からなることを特徴とする前記請求項１記載の冷却塔。
【発明の詳細な説明】
【０００１】
【発明の属する技術分野】
本発明は散水用給水管が散水箱の底部から上向きに突出、開口した散水箱を設けてある冷却塔に関する。
【０００２】
【従来の技術】
図５は一般的な開放型冷却塔の模式図である。図５に示すように開放型冷却塔Ａは充填材Ｂ１（Ｂ２）と、その上部に散水槽Ｃ１（Ｃ２）と散水箱Ｄ１（Ｄ２）とを備えている。散水箱Ｄ１（Ｄ２）から散水槽Ｃ１（Ｃ２）を経由した流下水は下部水槽Ｅに溜まり、循環ポンプＦによって凝縮器Ｇに送られ、更に給水管Ｈ１（Ｈ２）を通って散水箱Ｃ１（Ｃ２）に給水され、循環する。給水管Ｈ１（Ｈ２）の先端部は散水箱Ｄ１（Ｄ２）の底部を上向きに貫通、突出し上向きに開口している。また外気はファンＩによって白色矢印方向に流れるようになっている。
【０００３】
以下、図５に示す散水箱Ｄ１の位置の散水箱を例示して説明する。
図６は散水箱の従来例をを示す断面模式図である。図６において散水箱Ｄ１はＦＲＰ製であり、散水槽Ｃ１の上部に設置されてあり、底部１と蓋体２からなっており、底部１の側壁１２、蓋体２の側壁２１及び蓋体２の側壁２２はともに角筒状であり、蓋体２の天井部２３は平板状である。
【０００４】
底部１には複数の散水用の穴１１が貫通形成され、また給水管Ｈ１の先端部が底部１を上向きに貫通、突出し上向きに開口している。給水管Ｈ１からの噴出水はある程度の水位を有しながら、複数の散水用の穴１１から散水槽Ｃ１に流下し、散水槽Ｃ１から充填材Ｂ１（図５）へ流下する。
【０００５】
給水管Ｈ１の開口部の上側に当たる散水箱Ｄ１の天井部２３には、噴出水抑制板４１とハンドル４２とガイド部４３からなる噴出水抑制装置４が設けられている。噴出水抑制板４１は外部に設けたハンドル４２を手動操作することによってガイド部４３を介して上下に可動となっている。この噴出水抑制板４１を適当な位置に設定することによって、給水管Ｈ１からの噴出水の衝撃力を吸収して、散水箱Ｄ１の内面に衝撃力を直接当てないようにしている。
【０００６】
給水管Ｈ１からの噴出水による散水箱Ｄ１の内部空気圧力の上昇によって散水箱Ｄ１が破損等しないように、内部空気を外部へ脱気する必要があり、噴出水が直接及ばない天井部２３に脱気口３が貫通加工されている。貫通した脱気口３の直径は約５〜１５ｍｍ程度であり、適当な値に設定される。
【０００７】
【発明が解決しようとする課題】
しかしながら、前記従来の冷却塔における散水箱では、外部への水を含んだ空気の吹出しや外部からの雨水の侵入を考慮すると、脱気口の大きさが制限されるから、給水管からの噴出水やこの噴出水による内部空気圧力の上昇により、散水箱を構成する角筒状の側壁や平板状の天井部及びそれらの交点域に衝撃力が加わって、散水箱が破損しやすくなるため、噴出水抑制板とハンドルとガイド部とからなる噴出水抑制装置を設けなくてはならず高価となってしまうという問題点がある。
【０００８】
【課題を解決するための手段】
本発明は上記問題点に鑑みなされたものであって、請求項１の発明における冷却塔は、複数の穴が貫通して設けられかつ上向きに給水管が突出、開口した底部と、略円筒状側壁と略中空膨出状天井部とを一体形成してなる蓋体と、を組み合わせてなるとともに、前記天井部から前記側壁に沿う内部側を下降方向に連通しかつ前記側壁において外部に向かって水平より下向きに開口する脱気路を形成してなる散水箱を設けたことを特徴とする。
【０００９】
次いで請求項２の発明は、請求項１における脱気路が散水箱の蓋体に一体形成され断面が略半円筒状の隆起部と前記隆起部の基部の内面近傍に当接した仕切材とによって形成されたものであることを特徴とする。
【００１０】
次いで請求項３の発明は、請求項１における脱気路が管（チューブ）からなることを特徴とする。
【００１１】
【発明の実施の形態】
図１は本発明の冷却塔の散水箱の第一の実施例を示す外観斜視図であり、図２は同じく図１のＸ−Ｘ線断面模式図であり、図３は同じく図２のＹ−Ｙ線断面模式図である。また図４は本発明の冷却塔の散水箱の第二の実施例を示す断面模式図である。
【００１２】
図１〜図３を用いて本発明の冷却塔の散水箱の一実施例を詳細に説明する。散水箱Ｄ１ａは散水槽Ｃ１の上部に設けられている。散水箱Ｄ１ａの底部１ａは散水用の複数の貫通穴１１ａを設けた目皿であり、給水管Ｈ１が底部１ａの下側から底部１ａを貫通して立ち上がり、上向きに開口している。
【００１３】
散水箱Ｄ１ａの底部１ａに組み合わされる蓋体２ａは、側壁２１ａと天井部２３ａと天井部２３ａから側壁２１ａに沿って下降方向に形成され下端部が開口した隆起部２４ａとが一体形成されたものである。側壁２１ａは前記隆起部２４ａを含めた変形円筒状であり、天井部２３ａは中空状の膨出形状であり、側壁２１ａと天井部２３ａとの交点域にも丸みが賦形されている。
【００１４】
天井部２３ａの中空状の膨出形状とは具体的には、隆起部２４ａを含めた変形中空球状または変形中空放物面状等の上向きの膨らみのことである。
【００１５】
上記したような天井部２３ａから側壁２１ａに沿って下降方向に形成され下端部が開口した隆起部２４ａを脱気路３ａとするために、隆起部２４ａを蓋体２ａから略像の鼻状の通路として仕切る必要がある。このために前記隆起部２４ａの基部５１，５２の内面近傍に仕切材５を当接、固着する。図２には示していないが、図３に示すように、仕切材５は前記隆起部２４ａのほぼ全長に亘って設けられる。仕切材５にはＦＲＰ製の帯状板等を適当な形状に加工したものを使用し、接着剤等により帯状板等の側辺を蓋体２ａの隆起部２４ａの基部５１，５２の内面近傍に当接、固着する。そして、天井部２３ａに開口部３２ａを確保し、隆起部２４ａの下端には外部に向かう開口部３３ａを確保する。この結果、開口部３２ａと、隆起部２４ａと仕切材５とによって区画される連通路３１ａと、開口部３３ａ
とからなる脱気路３ａが形成される。
【００１６】
次に図４を用いて本発明の冷却塔の散水箱の他の実施例を説明する。散水箱の配置される位置や散水箱の底部の目皿構造や給水管が底部を貫通して立ち上がり上向きに開口していること等は、前述した図３の場合と同様であるので詳細説明は省略する。
【００１７】
図４において、散水箱Ｄ１ｂの底部１ｂに組み合わされる蓋体２ｂは、側壁２１ｂと天井部２３ｂとが左右対称に一体形成されたものであり、側壁２１ｂは円筒状であり、天井部２３ｂは中空球状または中空放物面状等の上向きの膨出形状であり、側壁２１ｂと天井部３ｂとの交点域にも丸みが賦与されている。そして、天井部２３ｂから側壁２１ｂに沿って内面側に下降方向にチューブ（管）３１ｂが取付けられ、このチューブ３１ｂには開口部３２ｂと開口部３３ｂが確保されており、該チューブ３１ｂは底部１ｂよりやや上位の位置で、側壁２１ｂを貫通して外部に向かって水平より下向きの前記開口部３３ｂを形成している。
【００１８】
チューブ３１ｂには合成樹脂製のものが多用されるがこれに限定されるものではない。またチューブ３１ｂは散水箱Ｄ１ｂの内部空気や水の流れを阻害しないようにできるだけ細いものがよいが、具体的なチューブ３１ｂの口径は、５〜１５ｍｍ程度の範囲から設定するのが好適である。しかし、この口径に限定されるものではない。チューブ３１ｂは接着剤など（図示せず）で固定すればよく、側壁２１ｂに設けられる貫通口の隙間には簡便な漏水防止策を施す必要がある。この結果、開口部３２ｂと、連通路であるチューブ３１ｂと、開口部３３ｂとからなる脱気路３ｂが形成される。
【００１９】
以下、第一の実施例の部位を示す記号はそのままで示し、第二の実施例の部位を示す記号は（）を用いて併記して示す。
上記した第一の実施例の散水箱Ｄ１ａにおいても、同じく上記した第二の実施例の散水箱（Ｄ１ｂ）においても、給水管Ｈ１の先端から散水箱Ｄ１ａ（Ｄ１ｂ）の内部にむけて噴出水が放出された場合、噴出水や噴出水により圧縮された空気は、蓋体２ａ（２ｂ）が有する側壁２１ａ（２１ｂ）の円筒面や、天井部２３ａ（２３ｂ）の上向きの膨らみや側壁２１ａ（２１ｂ）と天井部２３ａ（２３ｂ）との交点域の丸みを帯びた面、等によって、分散、回流し、衝撃力が緩和される。そして、分散、回流した空気は、開口部３２ａ（３２ｂ）に流れ込み、脱気路３ａ（３ｂ）を通って開口部３３ａ（３３ｂ）から外部にスムーズに放出される。
【００２０】
開口部３３ａ（３３ｂ）は水平よりも下向きに開口しているので、雨水侵入の心配がなく、また散水箱Ｄ１ａ（Ｄ１ｂ）内に噴出水による騒音が発生しても脱気路３ａ（３ｂ）を通って下向きに放音されるので著しく遮音される。
【００２１】
【発明の効果】
以上説明したように本発明では、複数の穴が貫通して設けられかつ上向きに給水管が突出、開口した底部と、略円筒状側壁と略中空膨出状天井部とを一体形成してなる蓋体と、を組み合わせてなるとともに、前記天井部から前記側壁に沿う内部側を下降方向に連通しかつ前記側壁において外部に向かって水平より下向きに開口する脱気路を形成してなる散水箱を設けたことを特徴とする冷却塔を提供できるので、散水箱の底部を貫通、突出する立ち上がり給水管からの散水箱内部への噴出水に伴う噴出水及び噴出水によって生じる圧縮空気が散水箱の内面に向かっても、円筒状の側壁、上向きに膨らんだ天井部及び丸がみ形成された側壁と天井部との交点域とによって、分散、回流され、衝撃力が緩和されるとともに自然に散水箱の内面に沿って形成された脱気路を通って下向きの開口部から外部にスムーズに放出されるから散水箱が破損することがなくなり、従って、例えば噴出水抑制板とハンドルとガイド部とからなる噴出水抑制装置が必要ではなくなるから、安価な散水箱を用いた安価な冷却塔が得られるという効果があり、更には脱気路が水平より下向きに開口しているから、万一給水が外部へ吹き出しても冷却塔外へ飛散することがないと同時に脱気路から雨水が侵入することもなく、また脱気路を通してスムーズに外部へ脱気されるから著しく遮音される、などの効果を奏する。
【図面の簡単な説明】
【図１】図１は本発明の冷却塔の散水箱の第一の実施例を示す外観斜視図である。
【図２】図２は同じく図１のＸ−Ｘ線断面模式図である。
【図３】図３は同じく図２のＹ−Ｙ線断面模式図である。
【図４】図４は本発明の冷却塔の散水箱の第二の実施例を示す断面模式図である。
【図５】図５は一般的な開放型冷却塔の模式図である。
【図６】図６は散水箱の従来例をを示す断面模式図である。
【符号の説明】
Ａ      冷却塔
Ｄ１ａ，Ｄ１ｂ    散水箱
Ｈ１    給水管
１ａ，１ｂ    底部
１１ａ，１１ｂ    貫通穴
２ａ，２ｂ    蓋体
２１ａ，２１ｂ    側壁
２３ａ，２３ｂ    天井部
３ａ，３ｂ    脱気路
３１ａ    連通路
３１ｂ    チューブ
３２ａ，３３ａ，３２ｂ，３３ｂ    開口部
５    仕切材
５１，５２    基部
【図１】
0003655080.tif 000002
【図２】
0003655080.tif 000003
【図３】
0003655080.tif 000004
【図４】
0003655080.tif 000005
【図５】
0003655080.tif 000006
【図６】
0003655080.tif 000007